(57)【要約】【課題】  紙の箱体を用いて軽量化と低コスト化を図る筐体を有し、スピーカーの取り付けが容易で、筐体が多少変更されても良好な音声再生を確保することができ、複数のスピーカーを取り付けることができるスピーカーシステムを提供する。【解決手段】  スピーカーが、フレームおよび磁気回路と、フレームの外周部から突出するスピーカーフランジ部と、フレームの外周部に設けられるスピーカーネジ部と、を有し、キャビネット部材が、その前面側にスピーカーフランジ部に対応するキャビネットフランジ部と、スピーカーネジ部に対応するキャビネットネジ部と、を有し、スピーカーおよびキャビネット部材が、スピーカーネジ部とキャビネットネジ部とを螺合して連結し、スピーカーフランジ部およびキャビネットフランジ部により筐体のスピーカー取付孔の周囲部を狭持して、筐体に取り付けられる。【選択図】  図１
2008252846.tif 000002
【特許請求の範囲】
【請求項１】
振動板を有するスピーカーと、該スピーカーに連結するキャビネット部材と、該振動板を露出して該スピーカーを取り付け、かつ、該スピーカーの磁気回路部および該キャビネット部材を収容して取り付けるスピーカー取付孔を有する筐体と、を備えるスピーカーシステムであって、
該スピーカーが、フレームおよび該磁気回路と、該フレームの外周部から突出するスピーカーフランジ部と、該フレームの外周部に設けられるスピーカーネジ部と、を有し、
該キャビネット部材が、その前面側に該スピーカーフランジ部に対応するキャビネットフランジ部と、該スピーカーネジ部に対応するキャビネットネジ部と、を有し、
該スピーカーおよび該キャビネット部材が、該スピーカーネジ部と該キャビネットネジ部とを螺合して連結し、該スピーカーフランジ部および該キャビネットフランジ部により該筐体の該スピーカー取付孔の周囲部を狭持して、該筐体に取り付けられる、
スピーカーシステム。
【請求項２】
前記筐体が、段ボール紙、厚紙、もしくは、紙管のいずれかを含む紙材から構成され、前記スピーカー取付孔が、該紙材に形成されている、
請求項１に記載のスピーカーシステム。
【請求項３】
前記キャビネット部材が、それぞれ前記スピーカーに接続する接続コードを通過させるコード通過孔を有し、該コード通過孔は、該キャビネット部材の背面側であって、前記キャビネットネジ部を規定する中心軸が通過する位置に設けられている、
請求項１または２に記載のスピーカーシステム。
【請求項４】
前記キャビネット部材が、該キャビネット部材の周囲方向に突出するように形成されて該キャビネット部材の内部と外部とを連通するダクトと、該キャビネット部材の周囲方向に突出するように形成された複数のリブと、をさらに備え、該ダクトならびに該複数のリブが、前記キャビネットネジ部のネジと略直交する方向に形成されている、
請求項１から３のいずれかに記載のスピーカーシステム。
【請求項５】
複数の前記スピーカーと、複数の前記キャビネット部材と、複数の前記スピーカー取付孔を有する一の前記筐体と、を備える、
請求項１から４のいずれかに記載のスピーカーシステム。
【請求項６】
入力音声信号を増幅して前記スピーカーに供給する増幅回路と、該増幅回路を収容する回路ケースと、をさらに備え、
該回路ケースが前記筐体に収容されて取り付けられる、
請求項１から５のいずれかに記載のスピーカーシステム。
【請求項７】
前記紙材から構成される前記筐体が、該紙材により規定される収容空間部、もしくは、蓋部をさらに備える、
請求項２から６のいずれかに記載のスピーカーシステム。
【発明の詳細な説明】
【技術分野】
【０００１】
本発明は、使用者が持ち運び可能で、パーソナルコンピューターやディスクプレーヤー等に接続して使用するスピーカーシステムに関する。
【背景技術】
【０００２】
従来、携帯可能なパーソナルコンピューターやディスクプレーヤー等を使用して音声を再生する場合に、これらに接続して音声信号を音声に変換する携帯用のスピーカーシステムが使用されることがある。これらのスピーカーシステムでは、スピーカーの筐体を組み立て又は折り畳みができるようにして、携帯性を考慮しようとするものがある。なかでも、スピーカーの筐体に、通常用いられる木材や樹脂といった材料による箱体を用いるのではなく、紙の箱体を用いて軽量化と低コスト化を図るものがある。
【０００３】
従来には、段ボール板からなるスピーカーボックスに、スピーカーユニットを装着するスピーカーがある。段ボール板からなるスピーカーボックスは、一枚の段ボール板を折り曲げて組み立てており、場合によっては増幅器を内蔵するものがある（特許文献１）。また、組み立て及び分解が容易に行え、かつ、生産性の向上、低コスト化等を図るように、スピーカーを、スピーカーユニットと、スピーカーユニットを収容し得かつスピーカーユニットの振動板を露出せしめ得る開口を有する組み立て可能な筐体と、筐体を組み立てた状態で筐体に係合してスピーカーユニットを開口に対向せしめて固定保持する保持プレートと、により構成するものがある。具体的には、この筐体の材料は紙材あるいはプラスチック材等である（特許文献２）。
【０００４】
しかしながら、上記のような紙の箱体を用いて軽量化と低コスト化を図るスピーカーシステムであっても、良好な音声再生を確保しつつスピーカーを取り付けるのには、困難な場合がある。また、紙の箱体を用いるスピーカーシステムの利点は、安価な紙の箱体の形状寸法等を、他の紙の箱体に容易に設計変更可能なことにあるものの、紙の箱体を変更するとその度に音響的な設計を再検討せざるを得なくなるという課題がある。また、接続されるディスクプレーヤー等から供給される音声信号は、ステレオ信号である場合が多いので、紙の箱体を用いるスピーカーシステムにおいても一つの筐体に左右２つのスピーカーが取り付けられるのが好ましいのにもかかわらず、その内部を音響的に分離するには紙の箱体の構成が複雑になる、という問題がある。
【０００５】
また、従来のスピーカーシステムは、音声を再生するスピーカーと、これを取り付けるキャビネット等の筐体と、から構成され、スピーカーを筐体に取り付ける方法には様々な手段が提案されている。例えば、スピーカーユニットのフレームの後部外周に係止部を設けると共にフレームの前部外周にネジ部を形成し、ネジ部に対応する大型ナットによりフレーム全周をバッフルに締着せしめるように構成したスピーカー取付装置がある（特許文献３）。あるいは、外周にフランジを有するスピーカーフレームの嵌入部をバッフル板に設けた取付穴内に嵌入し、嵌入部に設けた螺子部に取付フランジに設けた螺子部を螺合させて取付フランジとフランジとでバッフル板を狭持するようにしたものがある（特許文献４）。
【０００６】
【特許文献１】特開昭６３−９０２９９号公報
【特許文献２】実用新案登録第３０３５１３１号公報
【特許文献３】実開昭５６−１５７８８９号公報
【特許文献４】実開昭５８−８２０８８号公報
【発明の開示】
【発明が解決しようとする課題】
【０００７】
本発明は、上記の従来技術が有する問題を解決するためになされたものであり、その目的は、例えば、紙の箱体を用いて軽量化と低コスト化を図る筐体を有するスピーカーシステムであって、スピーカーの取り付けが容易で、筐体が多少変更されても良好な音声再生を確保することができ、複数のスピーカーを取り付けることができるスピーカーシステムを提供することにある。
【課題を解決するための手段】
【０００８】
本発明のスピーカーシステムは、振動板を有するスピーカーと、スピーカーに連結するキャビネット部材と、振動板を露出してスピーカーを取り付け、かつ、スピーカーの磁気回路部およびキャビネット部材を収容して取り付けるスピーカー取付孔を有する筐体と、を備えるスピーカーシステムであって、スピーカーが、フレームおよび磁気回路と、フレームの外周部から突出するスピーカーフランジ部と、フレームの外周部に設けられるスピーカーネジ部と、を有し、キャビネット部材が、その前面側にスピーカーフランジ部に対応するキャビネットフランジ部と、スピーカーネジ部に対応するキャビネットネジ部と、を有し、スピーカーおよびキャビネット部材が、スピーカーネジ部とキャビネットネジ部とを螺合して連結し、スピーカーフランジ部およびキャビネットフランジ部により筐体のスピーカー取付孔の周囲部を狭持して、筐体に取り付けられる。
【０００９】
また、好ましくは、本発明のスピーカーシステムは、筐体が、段ボール紙、厚紙、もしくは、紙管のいずれかを含む紙材から構成され、スピーカー取付孔が、紙材に形成されている。
【００１０】
また、好ましくは、本発明のスピーカーシステムは、キャビネット部材が、それぞれスピーカーに接続する接続コードを通過させるコード通過孔を有し、コード通過孔は、キャビネット部材の背面側であって、キャビネットネジ部を規定する中心軸が通過する位置に設けられている。
【００１１】
また、好ましくは、本発明のスピーカーシステムは、キャビネット部材が、キャビネット部材の周囲方向に突出するように形成されてキャビネット部材の内部と外部とを連通するダクトと、キャビネット部材の周囲方向に突出するように形成された複数のリブと、をさらに備え、ダクトならびに複数のリブが、キャビネットネジ部のネジと略直交する方向に形成されている。
【００１２】
好ましくは、本発明のスピーカーシステムは、複数のスピーカーと、複数のキャビネット部材と、複数のスピーカー取付孔を有する一の筐体と、を備える。
【００１３】
さらに、好ましくは、本発明のスピーカーシステムは、入力音声信号を増幅してスピーカーに供給する増幅回路と、増幅回路を収容する回路ケースと、をさらに備え、回路ケースが筐体に収容されて取り付けられる。
【００１４】
さらに、好ましくは、本発明のスピーカーシステムは、紙材から構成される筐体が、紙材により規定される収容空間部、もしくは、蓋部をさらに備える。
【００１５】
以下、本発明の作用について説明する。
【００１６】
本発明のスピーカーシステムは、振動板を有するスピーカーと、スピーカーに連結して音響容量を規定するキャビネット部材と、振動板を露出してスピーカーを取り付け、かつ、スピーカーの磁気回路部およびキャビネット部材を収容して取り付けるスピーカー取付孔を有する筐体と、を備える。ここで、好ましくは、筐体は、段ボール紙、厚紙、もしくは、紙管のいずれかを含む紙材から構成される。つまり、本発明のスピーカーシステムでは、紙材から構成される筐体とは別に、スピーカーに連結してスピーカーの振動板の前後空間を離隔し、かつ、音響容量を規定するキャビネット部材が設けられている。したがって、紙材から構成される筐体に代わって、キャビネット部材が、スピーカーの振動板の前後空間を離隔し、音響容量を規定するので、紙材から構成される筐体が変更されても良好な音声再生を確保することができる。キャビネット部材が、その内部と外部とを連通するダクトをさらに有している場合には、音響容量と共に位相反転型（バスレフ型）キャビネットを形成するので、低域再生能力が向上する。
【００１７】
本発明のスピーカーシステムでは、スピーカーは、フレームおよび磁気回路と、フレームの外周部から突出するスピーカーフランジ部と、フレームの外周部に設けられるスピーカーネジ部と、を有する。また、キャビネット部材が、その前面側にスピーカーフランジ部に対応するキャビネットフランジ部と、スピーカーネジ部に対応するキャビネットネジ部と、を有する。したがって、スピーカーネジ部とキャビネットネジ部とを螺合して連結すると、スピーカーフランジ部およびキャビネットフランジ部が、筐体のスピーカー取付孔の周囲部を狭持するので、スピーカーおよびキャビネット部材を、紙材から構成される筐体に容易に取り付けることができる。
【００１８】
また、一つの紙材から構成される筐体に複数のスピーカーを取り付ける場合であっても、筐体が複数のスピーカー取付孔を有し、かつ、複数のスピーカーに対応する複数のキャビネット部材を用いることで、容易にその内部を音響的に分離することができる。代表的には、ステレオ信号に対応して左右のスピーカーを備えたスピーカーシステムが実現でき、軽量化と低コスト化を図って紙材から構成される筐体を採用する場合でも、紙材の筐体を複雑にすることなく左右チャンネル間の相互干渉を低減することができる。
【００１９】
ここで、本発明のスピーカーシステムでは、スピーカーのスピーカーネジ部と、キャビネット部材のキャビネットネジ部を螺合させて連結させるのに適するように、キャビネット部材は、それぞれスピーカーに接続する接続コードを通過させるコード通過孔を有し、コード通過孔は、キャビネット部材の背面側であって、キャビネットネジ部を規定する中心軸が通過する位置に設けられている。したがって、キャビネット部材を回転させてスピーカーのスピーカーネジ部に螺合させても、コード通過孔の位置が回転によって移動しないので、キャビネット部材の回転に伴って接続コードが絡まったり断線したりするおそれが少ない。その結果、紙材から構成される筐体への取り付けが容易で、信頼性の高く、安価なスピーカーシステムが実現される。
【００２０】
また、キャビネット部材には、キャビネット部材の周囲方向に突出するように形成されてキャビネット部材の内部と外部とを連通するダクトと、キャビネット部材の周囲方向に突出するように形成された複数のリブと、をさらに備え、ダクトならびに複数のリブが、キャビネットネジ部のネジと略直交する方向に形成されている。キャビネットネジ部のネジと略直交する方向に形成されているということは、ダクトならびに複数のリブは、キャビネットネジ部を規定する中心軸に平行な方向に延設されている。したがって、キャビネット部材を回転させてスピーカーのスピーカーネジ部に螺合させる際に、作業者がこれらのダクトもしくは複数のリブに手の指もしくは作業治具を掛けることができるので、強いトルクで容易にキャビネット部材を回転させて螺合させることができ、組み立て作業効率を改善することができる。
【００２１】
また、キャビネット部材が、スピーカーの振動板の前後空間を離隔するので、入力音声信号を増幅してスピーカーに供給する増幅回路と、増幅回路を収容する回路ケースと、をスピーカーシステムがさらに備える場合には、回路ケースを筐体に収容して取り付けることができる。したがって、スピーカーの音響容量を規定する空間と、増幅回路が位置する空間とを分離することができ、紙材から構成される筐体が多少変更されても、良好な音声再生を確保することができる。
【００２２】
また、筐体が紙材から構成される場合には、筐体は、紙材により規定される収容空間部、もしくは、蓋部をさらに備える。収容空間部には、他の物品を収容することができるので、本発明のスピーカーシステムを音声再生が可能な包装材として使用することができ、包装材の差別化を図ることができる。あるいは、筐体に紙材により規定される蓋部を設けることで、露出するスピーカーの振動板や、収容する他の物品を保護することができ、また、蓋部の内側に宣伝表示や蓋部の動きに連動するディスプレイ等を設けると、宣伝効果を高めることができる。
【発明の効果】
【００２３】
本発明のスピーカーシステムは、紙の箱体を用いて軽量化と低コスト化を図る筐体を有するスピーカーシステムであっても、スピーカーの取り付けが容易で、筐体が多少変更されても良好な音声再生を確保することができる。また、複数のスピーカーを取り付けることができ、ステレオ信号に対応して、紙材から構成される筐体を採用する場合でも、左右チャンネル間の相互干渉を低減することができる。
【発明を実施するための最良の形態】
【００２４】
本発明のスピーカーシステムは、紙の箱体を用いて軽量化と低コスト化を図る筐体を有するスピーカーシステムであっても、スピーカーの取り付けが容易で、筐体が多少変更されても良好な音声再生を確保するという目的を、スピーカーが、フレームおよび磁気回路と、フレームの外周部から突出するスピーカーフランジ部と、フレームの外周部に設けられるスピーカーネジ部と、を有し、キャビネット部材が、その前面側にスピーカーフランジ部に対応するキャビネットフランジ部と、スピーカーネジ部に対応するキャビネットネジ部と、を有し、スピーカーおよびキャビネット部材が、スピーカーネジ部とキャビネットネジ部とを螺合して連結し、スピーカーフランジ部およびキャビネットフランジ部により筐体のスピーカー取付孔の周囲部を狭持して、筐体に取り付けられるようにすることにより、実現した。
【００２５】
以下、本発明の好ましい実施形態によるスピーカーシステムについて説明するが、本発明はこれらの実施形態には限定されない。
【実施例１】
【００２６】
図１および図２は、本発明の好ましい実施形態によるスピーカーシステム１を説明する図である。図１（ａ）は、スピーカーシステム１を説明する正面斜視図であり、図１（ｂ）は、スピーカーを取り付ける構造を説明する分解斜視図である。なお、説明に不要な構造等は一部を省略し、特に図１（ｂ）では、一部を透明視して記載している。
【００２７】
本実施例のスピーカーシステム１は、紙材から構成される直方体状の筐体２に、ステレオ音声信号（左チャンネル信号、および、右チャンネル信号）を音声に変換して再生する左スピーカー３、および、右スピーカー５が取り付けられて、構成されている。具体的には、筐体２は、その直方体状の形状を、角形の紙管２１を任意の長さに切断して、その開放された両端を、折り曲げて加工した厚紙で形成した蓋部材２２によって閉じられている。左スピーカー３、および、右スピーカー５は、紙管２１の一面に円形の貫通孔として形成されるスピーカー取付孔２３および２５に、振動板を露出してそれぞれ取り付けられる。なお、蓋部材２２は、紙管２１の開放端に嵌合しており、接着剤により固定されていてもよい。また、筐体２は、その外面を別の紙材でラッピングされていてもよく、あるいは、表面に印刷を施されていてもよい。
【００２８】
図１（ｂ）に示すように、左スピーカー３、および、右スピーカー５は、それぞれ音響容量を規定する左キャビネット部材４、ならびに、右キャビネット部材６と連結して、筐体２を形成する紙管２１に取り付けられる。なお、図１（ｂ）では、紙管２１は透明視されており、蓋部材２２ならびに他の構成部品等は省略されて記載されている。左スピーカー３、および、右スピーカー５は、それぞれフレームおよび磁気回路を有しており、フレームの外周部には、突出するスピーカーフランジ部と、フレームの外周部に設けられるスピーカーネジ部と、を有している。また、左キャビネット部材４、および、右キャビネット部材６は、それぞれその前面側にスピーカーフランジ部に対応するキャビネットフランジ部と、スピーカーネジ部に対応するキャビネットネジ部と、を有している。紙管２１には、スピーカー取付孔２３および２５が形成されているので、スピーカー取付孔を貫通するようにしてスピーカーネジ部とキャビネットネジ部とを螺合して連結すれば、スピーカーフランジ部およびキャビネットフランジ部がスピーカー取付孔の周囲部を狭持して、左スピーカー３、および、右スピーカー５は筐体２に取り付けられる。
【００２９】
図２は、スピーカーシステム１における左スピーカー３を取り付ける構造を説明する図である。図２（ａ）は、中心軸Ｚにおける断面拡大図であり、図２（ｂ）は、左スピーカー３に連結する左キャビネット部材４を背面側から見た図である。左スピーカー３は、振動板３１と、振動板３１に駆動力を与える磁気回路３２と、振動板３１と磁気回路３２とを連結するフレーム３３と、フレーム３３の外周部に突出するスピーカーフランジ部３４と、フレーム３３の外周部に設けられるスピーカーネジ部３５と、接続コード７が接続するターミナル３６と、を有している。例えば、左スピーカー３は、口径４ｃｍのスピーカーであり、右スピーカー５も同じスピーカーである。
【００３０】
また、左キャビネット部材４は、前面側が開き背面側が閉じた略円筒形状のキャビネット筒体４１と、キャビネット部材４の内部と外部とを連通するダクト４２と、キャビネット筒体４１の背面側に設けられるコード通過孔４３と、キャビネット筒体４１の前面側に設けられるキャビネットフランジ部４４と、スピーカーネジ部３５に対応するキャビネットネジ部４５と、キャビネット筒体４１の周囲方向に突出するように形成された６本のリブ４６と、を有している。左キャビネット部材４は、左スピーカー３と組み合わせると所定の低音再生能力を発揮する音響容量を持つように、キャビネット筒体４１およびダクト４２の寸法および形状が設計されている。
【００３１】
接続コード７は、スピーカー３のターミナル３６を通じて、音声信号電流を磁気回路３２の磁気空隙に位置するボイスコイル３７に供給する。接続コード７では、一方端のプラスおよびマイナスの接続端子７１が、予めスピーカー３のターミナル３６に連結される。後述するように、接続コード７の他端側は、コード通過孔４３を通過するように引き出され、（図示しない）他方端の接続端子７２は、（図示しない）増幅回路のターミナルへ接続される。
【００３２】
筐体２を形成する紙管２１に、作業者が左スピーカー３を手で取り付ける工程を、図２を用いて説明する。最初に、作業者は、筐体２を形成する紙管２１に形成されたスピーカー取付孔２３に、予め接続コード７を接続した左スピーカー３を紙管２１の外側から挿入して、仮押さえする。フレーム３３の外周部に突出するスピーカーフランジ部３４が、スピーカー取付孔２３の周囲に当接し、スピーカー取付孔２３の径よりも小さい径で形成されているスピーカーネジ部３５および磁気回路３２は、筐体２に収容される。その結果、左スピーカー３の振動板３１は、筐体２の外側に露出する。
【００３３】
次に、作業者は、左キャビネット部材４を紙管２１の内側から挿入して、スピーカーネジ部３５とキャビネットネジ部４５とを螺合させる。図２（ｂ）に示すように、作業者が、左キャビネット部材４をＲ方向に回転させると、つまり、左キャビネット部材４のキャビネットネジ部４５を規定する中心軸Ｚを中心にして右ネジ方向に回転させると、左スピーカー３のスピーカーネジ部３５とキャビネットネジ部４５とが螺合する。その際には、接続コード７の他方端を、キャビネット筒体４１の背面側に設けられているコード通過孔４３に通過させて、左キャビネット部材４の外側に引き出しておく。
【００３４】
作業者が、左スピーカー３のフレーム３３を仮押さえしながら、一方で、左キャビネット部材４をＲ方向に回転させると、スピーカーネジ部３５とキャビネットネジ部４５とが螺合し、スピーカーフランジ部３４とキャビネットフランジ部４４とが接近する。スピーカーフランジ部３４とキャビネットフランジ部４４とは、スピーカー取付孔２３の直径よりも大きな直径を有する。左キャビネット部材４をさらに回転させていくと、その結果、スピーカーフランジ部３４とキャビネットフランジ部４４とがスピーカー取付孔２３の周囲部を狭持して、左スピーカー３は紙管２１に取り付けられる。そして、左スピーカー３には左キャビネット部材４が連結するので、位相反転型（バスレフ型）キャビネットが形成されて、所定の低域再生周波数特性を有するスピーカーシステムが構成される。なお、作業者は、右スピーカー５および右キャビネット部材６についても、同様に作業を行って、右スピーカー５を紙管２１に取り付けることができる。
【００３５】
本実施例のスピーカーシステム１では、ステレオ信号に対応する左スピーカー３および右スピーカー５を有しているものの、それぞれが背面側にキャビネット部材４ならびに６を備えているので、背面側に放射される音波を左右チャンネル間で音響的に分離することができる。スピーカーシステム１のように、キャビネット部材がバスレフ型キャビネットを形成するものでは、少なくとも背面側に放射される音波の高音域を分離することができる。つまり、軽量化と低コスト化を図って紙材から構成される筐体２を採用する場合でも、左右チャンネル間の相互干渉を低減することができる。なお、キャビネット部材が密閉型キャビネットを形成するものであるならば、背面側に放射される音波は表側へ伝搬しないので、さらに紙材から構成される筐体２の設計が自由になるというメリットがある。
【００３６】
前述の通り、左キャビネット部材４は、左スピーカー３に接続する接続コード７を通過させるコード通過孔４３を有している。このコード通過孔４３は、キャビネット筒体４１の背面側であって、キャビネットネジ部４５を規定する中心軸Ｚが通過する位置に設けられており、接続コード７の太さよりも大きな径を有する円形孔である。したがって、左キャビネット部材４を回転させて左スピーカー３のスピーカーネジ部３５にキャビネットネジ部４５を螺合させても、コード通過孔４３の位置が取り付ける作業におけるキャビネット筒体４１の回転によってほぼ移動しない。そのため、作業者は、左スピーカー３とキャビネット部材４とを取り付ける作業において、キャビネット部材４を回転させて螺合させても、接続コード７が絡まったり、引っかかったりして断線したりするおそれが少なくなり、信頼性の高い作業を容易に行うことができる。なお、コード通過孔４３は、キャビネット部材４を取り付けた後に、ブッシングもしくは吸音材等で接続コード７との間にできる隙間を閉塞してもよい。
【００３７】
また、左キャビネット部材４のキャビネット筒体４１の外面側には、ダクト４２と６本のリブ４６とが、周囲方向に突出するように形成されている。ダクト４２および６本のリブ４６は、キャビネットネジ部４５のネジと略直交する方向に、つまり、キャビネットネジ部４５を規定する中心軸Ｚに平行な方向に延設されており、回転するＲ方向に直角になる。ダクト４２および複数のリブ４６は、キャビネット筒体４１の前後方向に延設されているので、作業者は、左キャビネット部材４を回転させて左スピーカー３のスピーカーネジ３５部に螺合させる際に、これらのダクト４２もしくは６本のリブ４６を利用することができる。作業者は、手の指もしくは作業治具をダクト４２もしくは６本のリブ４６に掛けることができるので、強いトルクで容易に左キャビネット部材４をより高速に回転させることができ、組み立て作業効率を改善することができる。
【００３８】
本実施例のスピーカーシステム１では、紙材から構成される筐体２にステレオ信号に対応する左スピーカー３および右スピーカー５を有しているが、本発明のスピーカーシステムは、紙材から構成される筐体に一つのスピーカーを有するものであってもよい。スピーカーのスピーカーネジ部に螺合して連結するキャビネット部材が、スピーカーの振動板の前後空間を離隔してスピーカーの低域音響特性を規定するので、紙材から構成される筐体の構成に影響をあまり受けずに安定した音響特性を得ることができる。例えば、一つのスピーカーに対応するキャビネット部材を予め用意しておけば、紙材から構成される筐体を様々に変更しても、良好な音声再生を確保することができる。容易に設計変更が可能なことは、紙材の筐体を用いるスピーカーシステムの利点であるので、本発明のスピーカーシステムでは、紙の箱体を変更するとその度に音響的な設計を再検討する必要が無く、設計納期を短縮しつつも製造コストが下がり、良好な音声再生を確保したスピーカーシステムを実現することができる。
【実施例２】
【００３９】
図３は、本発明の他の好ましい実施形態によるスピーカーシステム１０を説明する斜視図である。スピーカーシステム１０は、紙材から構成される直方体状の筐体２０に、左スピーカー３、および、右スピーカー５が取り付けられて構成され、ステレオ信号入力に対応した増幅回路を有し、この増幅回路を収容する回路ケース９が筐体２０に収容されて取り付けられている。なお、図３では、説明に不要な内部構造等は省略しているほか、筐体２０の正面側を透明視して表示している。また、実施例１のスピーカーシステム１に共通するところには共通の番号を付し、説明および図示を省略する。
【００４０】
具体的には、回路ケース９は、樹脂で成形される直方体状の樹脂ケースであり、（図示しない）増幅回路ならびに（図示しない）電源回路を収容しており、その前面側に、電源スイッチを兼用するボリューム１１と、動作状態を示すＬＥＤ１２と、ステレオ信号が入力される入力端子１３と、が露出するように配置されている。回路ケース９が筐体２０に取り付けられると、ボリューム１１およびＬＥＤ１２は、紙材から構成される筐体２０に設けられる貫通孔２６を通じて正面側に露出し、同様に、入力端子１３は、貫通孔２７を通じて正面側に露出する。また、回路ケース９の背面側には、左スピーカー３に接続する接続コード７と、右スピーカー５に接続する接続コード８と、が接続している。
【００４１】
スピーカーシステム１０は、ディスクプレーヤー等からのステレオ信号出力を入力端子１３に入力し、増幅回路のボリューム１１を操作して音量調整をして、ステレオ音声を再生することができる。実施例１の場合と同様に、左スピーカー３および右スピーカー５を紙材から構成される筐体２０に取り付けるのに、左スピーカー３に螺合して連結する左キャビネット部材４と、右スピーカー５に螺合して連結する右キャビネット部材６と、を用いているので、背面側に放射される音波を左右チャンネル間で音響的に分離することができる。左スピーカー３および右スピーカー５の音響容量を規定する空間と、増幅回路が位置する空間とを分離してもいるので、容易に設計変更が可能であるという紙材の筐体２０を用いるスピーカーシステムの利点を、そのまま生かすことができる。したがって、紙材から構成される筐体２０が多少変更されても、その度に音響的な設計を再検討する必要が無く、設計納期を短縮しつつも製造コストが下がり、良好な音声再生を確保することができる。
【００４２】
なお、回路ケース９に収容される増幅回路の電源回路は、（図示しない）電池を内包するものであってもよく、また、（図示しない）ＡＣアダプターを接続して直流電源を得る整流回路であってもよい。なお、筐体２０は、回路ケース９に（図示しない）電池を装着するための（図示しない）開口を、その底面側に備えていてもよい。また、回路ケース９は、紙材から構成される筐体２０の内部に収容されていればよく、接着剤等で所定の位置に固定すればよい。また、接続コード７および８と、回路ケース９に設けられる増幅回路のターミナルとの接続には、（図示しない）コネクターを利用して接続すればよい。接続コード７および８は、いずれもキャビネット部材４および６のコード通過孔を通過するように引き出され、コネクターが増幅回路の（図示しない）ターミナルへ接続される。
【実施例３】
【００４３】
図４は、本発明の他の好ましい実施形態によるスピーカーシステムを説明する斜視図である。図４（ａ）は、紙材から構成される直方体状の筐体２０ａを有するスピーカーシステム１０ａの場合であり、図４（ｂ）は、同様に筐体２０ｂを有するスピーカーシステム１０ｂの場合である。本実施例のスピーカーシステム１０ａおよび１０ｂは、先の実施例２のスピーカーシステム１０の場合と同様に、紙材から構成される直方体状の筐体２０ａもしくは２０ｂに、左スピーカー３、および、右スピーカー５が取り付けられて構成され、ステレオ信号入力に対応した増幅回路を有する。なお、図４では、説明に不要な内部構造等は省略しているほか、実施例２のスピーカーシステム１０に共通するところには共通の番号を付し、説明および図示を省略する。
【００４４】
スピーカーシステム１０ａは、紙材から構成される直方体状の筐体２０ａが、収容空間部２８ａと、蓋部２９ａとを備えている。筐体２０ａは紙材から構成されているので、他の物品を収容する収容空間部２８ａを直方体状の天面側に設け、さらに、その天面側を覆う蓋部２９ａを設けることができる。図４（ａ）は、スピーカーシステム１０ａの蓋部２９ａが開いた状態を表しており、蓋部２９ａを閉じれば、収容空間部２８ａに収容するいずれかの物品に関して、音声再生が可能な包装材として使用することができる。例えば、収容空間部２８ａに携帯オーディオプレーヤーの商品を収容し、このスピーカーシステム１０ａを包装材として使用すれば、商品を開梱して直ぐに音声再生を可能にすることができ、携帯オーディオプレーヤーの商品性を高めることができる。もちろん、収容空間部２８ａに収容することができれば、他の商品の包装材として、このスピーカーシステム１０ａを用いてもよい。
【００４５】
なお、スピーカーシステム１０ａでは、筐体２０ａの天面側に左スピーカー３および右スピーカー５を配置しているので、蓋部２９ａを閉じているときには、蓋部２９ａは、左スピーカー３および右スピーカー５の振動板が異物と衝突することがないように保護することができる。
【００４６】
一方、スピーカーシステム１０ｂも、紙材から構成される直方体状の筐体２０ｂが、蓋部２９ｂを備えている。蓋部２９ｂは、閉じたときに三角屋根状になり、スピーカーシステム１０ｂ全体で見ると、おもちゃの家のような形態になる。例えば、キャラクターのロゴ等を、紙材から構成される直方体状の筐体２０の表面に印刷すれば、スピーカーシステム１０ｂをそのキャラクターを宣伝するノベルティグッズにすることができる。図４（ｂ）は、スピーカーシステム１０ｂの蓋部２９ｂが開いた状態を表しており、例えば、開いた蓋部２９ｂの内側に宣伝表示が印刷すれば、蓋部２９ｂを開いた際に宣伝表示が露出し、宣伝効果を高めることができる。他にも、蓋部２９ｂの動きに連動するディスプレイ等を設けてもよい。なお、左スピーカー３、および、（図示しない）右スピーカー５は、直方体形状の両側面側に取り付けられている。
【００４７】
本発明のスピーカーシステムにおいては、紙材から構成される筐体の形状は、直方体形状に限らず自由であり、スピーカーに螺合して連結するキャビネット部材を用いて、スピーカーを筐体が有する平面部分に取り付けるものであれば、スピーカーを取り付ける位置も自由である。上記の実施例は、紙材から構成される筐体の一例にすぎず、筐体は、段ボール紙、厚紙、もしくは、紙管のいずれかを含むものであれば、複数の紙材を組み合わせて構成するものであってもよい。筐体には、携帯性を向上させるために取手を設けてもよい。
【産業上の利用可能性】
【００４８】
本発明のスピーカーシステムは、パソコン等や携帯用のオーディオプレーヤー等に用いるスピーカーシステムのみならず、上記のように商品の包装材にも適用が可能である。
【図面の簡単な説明】
【００４９】
【図１】本発明の好ましい実施形態によるスピーカーシステム１を説明する図である。（実施例１）
【図２】本発明の好ましい実施形態によるスピーカーシステム１を説明する図である。（実施例１）
【図３】本発明の他の好ましい実施形態によるスピーカーシステム１０を説明する図である。（実施例２）
【図４】本発明の他の好ましい実施形態によるスピーカーシステム１０ａおよび１０ｂを説明する図である。（実施例３）
【符号の説明】
【００５０】
１、１０、１０ａ、１０ｂ  スピーカーシステム
２、２０、２０ａ、２０ｂ  筐体
３              左スピーカー
４              左キャビネット部材
５              右スピーカー
６              右キャビネット部材
７、８          接続コード
９              回路ケース
【図２】
2008252846.tif 000003
【図３】
2008252846.tif 000004
【図４】
2008252846.tif 000005
【図１】
2008252846.tif 000006